【事件の表示】
　平成　９年特許願第１２１３６８号「分散インテリジェンスを持った光通信システム」拒絶査定不服審判事件〔平成１０年　２月２４日出願公開、特開平１０−　５６４３０〕について、次のとおり審決する。
【結　論】
　本件審判の請求は、成り立たない。
【理　由】
１．手続の経緯・本願発明
  本願は、平成９年５月１３日（優先権主張１９９６年５月１３日、米国）の出願であって、その請求項１に係る発明は、平成１６年２月５日付の手続補正により補正された明細書及び図面の記載からみて、その特許請求の範囲の請求項１に記載された以下の事項により特定されるものである。（以下、「本願発明」という。）
「分散フレーム（１０）を有する光通信システムであって、該分散フレームと関連するシステム・コントローラと共に使用する光通信システムにおいて、該分散フレームが、
　少なくとも１つのシェルフ（１２、１４）と、
　該少なくとも１つのシェルフの内部に動作可能なように接続され、
　第１の光チャネル（３２、３４、３６）を第２の光チャネル（４２、４４、４６）に光学的に接続させるように適合された少なくとも１つの相互接続モジュール（１６、１８）とからなり、
　該相互接続モジュールの各々は、該光通信システムと関連する少なくとも１つの識別可能な動作特性を確認することが可能なマイクロコントローラを含むように適合されており、
　前記システムは更に、マイクロコントローラを含む該相互接続モジュールと該システム・コントローラおよび他の相互接続モジュールを電気的に接続する電気的相互接続構造（７２）
　からなることを特徴とする光通信システム。」
　
２．刊行物記載の発明
　これに対して、原査定の拒絶の理由に引用された下記の刊行物１（特開平８−５４５４４号公報，平成８年２月２７日公開）には、以下の事項が記載されている。
ア．「【請求項１】 複数の棚（１１、１４）と、光学的にケーブル（１２、１３）からの光ファイバを光ファイバジャンパケーブル（１５）に接続するために、棚に搭載された複数のモジュール（１８、１９）とを有し、前記モジュール（１８）のうちの少なくとも一つは第１波長の情報信号を受信し、及び、光ファイバジャンパケーブル（１５）を介してそこに接続されている他のモジュール（１９）に情報信号を発信する受信・発信手段（２０、５０、５１）を有し、さらに同一のジャンパケーブルを介して第２波長のテスト信号を前記接続されている他のモジュールに対して発信する手段（５３、５４、５１、２２）を有し、前記他のモジュールは前記モジュールの１つにより発信されるテスト信号を受信・モニタする手段（５３）を有することを特徴とする光ファイバ分配フレーム。」
　
イ．「【発明の属する技術分野】本発明は光ファイバ分配フレームに関する。」
　
ウ．「【発明が解決しようとする課題】従って、本発明の目的は、安価で効率よくパッチコードをテストする光ファイバ分配フレームを提供することである。」
　
エ．「【課題を解決するための手段】前記課題を解決するために、本発明の一実施例は次のような光ファイバ分配フレームを提供する。この光ファイバ分配フレームは複数の棚を有し、各棚には複数のモジュールを有し、このモジュールはケーブルの光ファイバを光ファイバジャンパケーブルと光学的に接続させる。少なくとも一つのモジュールは、光ファイバジャンパケーブルからこのジャンパケーブルによって接続される他のモジュールにテスト信号を発射する手段を有し、前記他のモジュールは前記少なくとも一つのモジュールが発射したテスト信号を受信し、モニタする手段を有する。」
　
オ．「【発明の効果】以上述べたように、本発明によって、安価で効率よくパッチコードをテストする光ファイバ分配フレームが実現した。」
　
カ．「【００１０】図３には、各モジュールへの光学的接続を表してあり、各モジュールはそこに接続されたケーブル（１２または１３）内のファイバのテストを可能にする。ＯＴＤＲソース４０は光学時間領域反射（ＯＴＤＲ）のためにテスト信号を提供する。このソースは直列の光スイッチ４１に入力し、そこで、信号はモジュールに分配する。一般的には、各ベイにスイッチがあり、また各ファイバ分配フレーム１０の各棚にスイッチがある。テスト信号は各モジュール（例、１８）にある電気−光学回路４２に入力し、回路は順番に信号を、ケーブル（例、１２）からこのモジュールに接続した送信及び／または受信ファイバに入力する。」
　
キ．「【００１１】図４は電気−光学回路４２を示し、この電気−光学回路４２はケーブルファイバのテストのみでなく、パネル間のジャンパケーブルのテストをも可能にする。第１波長分割マルチプレクサ（ＷＤＭ）５０がジャック２０から入力し、タップ５１に対して出力する。タップの１つの出力はジャック２２に接続され、タップの他の出力はＰＩＮ光ダイオードのような光検知器５２に接続される。光ダイオードの電気出力は増幅器４３を介してマイクロプロセッサ５３に接続される。マイクロプロセッサ５３の１つのポートは光発光素子（ＬＥＤ）２５に接続され、この光発光素子（ＬＥＤ）２５はパネルの前面に搭載される（図２を参照のこと）。マイクロプロセッサ５３のもう１つのポートは例えば、コンパクトディスク（ＣＤ）レーザのような他の光発光素子５４に接続され、光発光素子５４の光出力はタップ５１に接続される。マイクロプロセッサ５３のもう１つのポートは他のＰＩＮ光ダイオード５５の電気出力に接続される。ＰＩＮ光ダイオード５５の光入力は波長分割マルチプレクサ（ＷＤＭ）５６の出力に接続され、波長分割マルチプレクサ（ＷＤＭ）５６の入力はジャック２３に接続される。波長分割マルチプレクサ（ＷＤＭ）５６の他の出力は他の波長分割マルチプレクサ（ＷＤＭ）５７入力に接続され、波長分割マルチプレクサ（ＷＤＭ）５７の出力はジャック２１に接続される。波長分割マルチプレクサ（ＷＤＭ）５０と５７の入力はそれぞれジャック５８と５９を介して光スイッチ（図３の４１）にも接続される。」
　
ク．「【００１２】図６には、各モジュール、例えば１８と１９が、背後にあるバス、例えばバス６２と６３に電気的に接続され、このバスは棚上のすべてまたは選択されたモジュールを棚制御器（マイクロプロセッサ）、例えば６４と６５に電気的に接続する。フレームの各ベイにおける棚制御器はバス６６と６７により電気的に対応するベイ制御器（ＢＣ）ルーター６８と６９に接続され、このベイ制御器（ＢＣ）ルーター６８と６９は階層バスのようなＬＡＮバス７０に接続される。ベイ制御器は必須なものではないが、あることが望ましい。それは、ベイ制御器がバス上に多くのノードの操作を可能にするからである。ＬＡＮバス７０は標準インターフェース７１を介してホストコンピュータ７２に接続される。ホストコンピュータ７２は、モジュール間（例、１８と１９）のすべての適切な光学接続を含むデータベースを有する。」
　
ケ．「【００１３】動作に際して、モジュール１８がジャック２０に接続されたトランクケーブル１２のファイバから光信号を受信する。一般的に、情報信号は１３１０ｎｍの周波数で送信され、テスト信号は１５５０ｎｍの周波数で送信される。これらの周波数は必要に応じて変更することが可能である。波長分割マルチプレクサ（ＷＤＭ）５０は情報と反射テスト信号を分離し、タップ５１に情報信号を送信する。タップ５１は信号の大部分（一般に９０−９９％）をジャック２２に送信して、フレームにおける他のモジュール（例、１９）に入力する。
【００１４】情報信号のごく一部、一般に０．１−０．５ｄＢは光検知器５２に入力される。光検知器５２は図５のカーブ６０に従って光信号を電気信号に変換する。増幅器４３は電気信号を受信して、マイクロプロセッサ５３に情報を読ませるために、それを図５のカーブ６１に従って線形化する。マイクロプロセッサ５３は連続的に情報信号のパワーをサンプリングして、パワーレベル上の分裂または変化があれば、ホストコンピュータ７２に知らせる。また、マイクロプロセッサ５３は分裂が発生すると光発光素子（ＬＥＤ）２５を点灯する。
【００１５】パワー分裂に応答して、ホストコンピュータ７２はＯＴＤＲソース（図３の４０）からテスト信号を端末５８または５９のいずれかに自動的に送り出す。この端末５８または５９は波長分割マルチプレクサ（ＷＤＭ）５０または５７に接続され、トランクケーブル１２におけるファイバへジャック２０または２１上の信号を送り出す。ジャック２０と２１上に伝送されたテスト信号の反射は、対応する波長分割マルチプレクサ（ＷＤＭ）５０と５７により受信され、標準光学時間領域反射原理に従ってＯＴＤＲソース４０にある受信器（図示せず）によりモニタされる。」
　
コ．「【００１６】モジュール（例えば１８と１９）間に接続される光ファイバジャンパケーブルをテストするためには、マイクロプロセッサ５３は信号をレーザ５４に伝送し、このレーザ５４はタップ５１に対して光テスト信号を送信する。レーザからの信号は一般的に７８０ｎｍ波長である。信号は、タップ５１から光学的にジャック２２に入力し、そこで、信号はジャンパケーブルを介して接続されているモジュール（例、１９）に伝送される。同時に、マイクロプロセッサ５３はホストコンピュータ７２に対して、そのモジュール（１８）と接続されるモジュール（１９）間のジャンパケーブルをテストするよう要求する旨の信号を送る。ホストコンピュータ７２はそのデータベースをチェックし、他のモジュールに対してそのＣＤレーザからのテスト信号を発射することを指示して、テスト信号はジャック２３上のモジュール１８に受信される。
【００１７】その後、受信された光テスト信号は波長分割マルチプレクサ（ＷＤＭ）５６により情報信号から分離される。情報信号は波長分割マルチプレクサ（ＷＤＭ）５７に伝送されて、端末５９からのＯＴＤＲ信号とともにジャック２１からケーブルに伝送される。他のモジュール（１９）からのテスト信号はＰＩＮ光ダイオード５５に入力され、そこで電気信号に変換される。ＰＩＮ光ダイオード５５は制御ビット（０、１）をマイクロプロセッサ５３に送って、テスト信号が受信されるかどうかを表示する。もし、信号が受信されないならば、マイクロプロセッサ５３は接続が不良であるか、またはジャンパケーブルが間違ったモジュールに接続されたと分かる。」
　
　上記ア．〜オ．の事項を参照すると、刊行物１には、
　安価で効率よくパッチコードをテストする光ファイバ分配フレームを提供するための、
　複数の棚（１１、１４）と、光学的にケーブル（１２、１３）からの光ファイバを光ファイバジャンパケーブル（１５）に接続するために、棚に搭載された複数のモジュール（１８、１９）とを有し、前記モジュール（１８）のうちの少なくとも一つは第１波長の情報信号を受信し、及び、光ファイバジャンパケーブル（１５）を介してそこに接続されている他のモジュール（１９）に情報信号を発信する受信・発信手段（２０、５０、５１）を有し、さらに同一のジャンパケーブルを介して第２波長のテスト信号を前記接続されている他のモジュールに対して発信する手段（５３、５４、５１、２２）を有し、前記他のモジュールは前記モジュールの１つにより発信されるテスト信号を受信・モニタする手段（５３）を有することを特徴とする光ファイバ分配フレームが記載され、
　少なくとも一つのモジュールは、光ファイバジャンパケーブルからこのジャンパケーブルによって接続される他のモジュールにテスト信号を発射する手段を有し、前記他のモジュールは前記少なくとも一つのモジュールが発射したテスト信号を受信し、モニタする手段を有して、安価で効率よくパッチコードをテストする光ファイバ分配フレームを実現したことが記載されている。
　
　また、上記カ．の事項を参照すると、刊行物１には、
　各モジュールへの光学的接続については、各モジュールはそこに接続されたケーブル（１２または１３）内のファイバのテストを可能にすることが記載されている。
　
　また、上記キ．の事項を参照すると、刊行物１には、
　この電気−光学回路４２はケーブルファイバのテストのみでなく、パネル間のジャンパケーブルのテストをも可能にすることが記載されている。
　
　また、上記ク．の事項を参照すると、刊行物１には、
　各モジュール１８と１９が、背後にあるバス６２と６３に電気的に接続され、このバスは棚上のすべてまたは選択されたモジュールを棚制御器（マイクロプロセッサ）６４と６５に電気的に接続し、フレームの各ベイにおける棚制御器はバス６６と６７により電気的に対応するベイ制御器（ＢＣ）ルーター６８と６９に接続され、このベイ制御器（ＢＣ）ルーター６８と６９は階層バスのようなＬＡＮバス７０に接続され、ベイ制御器がバス上に多くのノードの操作を可能にし、ＬＡＮバス７０は標準インターフェース７１を介してホストコンピュータ７２に接続され、ホストコンピュータ７２は、モジュール間（例、１８と１９）のすべての適切な光学接続を含むデータベースを有することが記載されている。
　　
　また、上記ケ．の事項を参照すると、刊行物１には、
　モジュール１８がジャック２０に接続されたトランクケーブル１２のファイバから光信号を受信すると、
　情報信号の一部は光検知器５２に入力されて電気信号に変換され、
　マイクロプロセッサ５３は連続的に情報信号のパワーをサンプリングして、パワーレベル上の分裂または変化があれば、ホストコンピュータ７２に知らせ、ホストコンピュータ７２は、パワー分裂に応答してテスト信号を端末５８または５９のいずれかに自動的に送り出し、テスト信号の反射は受信器によりモニタされることが記載されている。
　
　また、上記コ．の事項を参照すると、刊行物１には、
　光ファイバジャンパケーブルをテストするために、
　マイクロプロセッサ５３は信号をレーザ５４に伝送し、このレーザ５４はタップ５１に対して光テスト信号を送信し、信号はジャンパケーブルを介して接続されているモジュール（例、１９）に伝送され、
　同時にマイクロプロセッサ５３はホストコンピュータ７２に対して、そのモジュール（１８）と接続されるモジュール（１９）間のジャンパケーブルをテストするよう要求する旨の信号を送り、
　ホストコンピュータ７２は、他のモジュールに対してそのＣＤレーザからのテスト信号を発射することを指示して、他のモジュール（１９）からのテスト信号は電気信号に変換され、制御ビット（０、１）をマイクロプロセッサ５３に送って、テスト信号が受信されるかどうかを表示し、もし、信号が受信されないならば、マイクロプロセッサ５３は接続が不良であるか、またはジャンパケーブルが間違ったモジュールに接続されたと分かることが記載されている。
　
　以上を勘案すると、刊行物１には、
　光ファイバ分配フレーム（１０）が、
　複数の棚（１１、１４）と、
　棚（１１、１４）に搭載されて動作可能なように接続され、
　光学的にトランクケーブル（１２）と伝送ケーブル（１３）とを光ファイバジャンパケーブル（１５）を介して接続させるようにした複数のモジュール（１８、１９）とからなり、
　上記モジュール（１８、１９）の各々は、各モジュールに接続されたケーブル（１２または１３）及び光ファイバジャンパケーブル（１５）の光学的接続についてのテストが可能であり、
　前記複数のモジュール（１８、１９）の各々は、マイクロプロセッサ（５３）を備え、
　マイクロプロセッサ（５３）は、トランクケーブル（１２）のファイバからの情報信号のパワーを連続的にサンプリングして、パワーレベル上の分裂または変化があれば、ホストコンピュータ（７２）に知らせてテスト信号を自動的に送り出し、テスト信号の反射を受信器でモニタし、
　また、マイクロプロセッサ（５３）は、光ファイバジャンパケーブル（１５）をテストするために、光テスト信号をレーザ（５４）を介して送信し、光ファイバジャンパケーブル（１５）を介して接続されているモジュールに伝送し、同時にマイクロプロセッサ（５３）はホストコンピュータ（７２）に対して、テスト要求信号を送り、他のモジュール（１９）からのテスト信号は電気信号に変換され、制御ビット（０、１）をマイクロプロセッサ（５３）に送り、もし、信号が受信されないならば、マイクロプロセッサ（５３）は接続が不良であるか、またはジャンパケーブルが間違ったモジュールに接続されたと分かるように設定されており、
　上記光ファイバ分配フレーム（１０）は、マイクロプロセッサ５３を含むモジュール（１８、１９）とホストコンピュータ７２および他のモジュール（１８，１９）とに、各モジュール１８と１９の背後にあるバス６２と６３，バス６６と６７，及びＬＡＮバス７０により電気的に接続される
　光ファイバ分配フレーム（１０）（以下、「刊行物１記載の発明」という。）が記載されている。
　
３．対比
　そこで、本願発明と刊行物１記載の発明とを対比すると、
ア．刊行物１記載の発明の「光ファイバ分配フレーム（１０）」は、本願発明の「分散フレーム」に対応する。
　
イ．刊行物１記載の発明の「複数の棚（１１、１４）」は、本願発明の「少なくとも１つのシェルフ（１２、１４）」に対応する。
　
ウ．刊行物１記載の発明の「複数のモジュール（１８、１９）が棚（１１、１４）に搭載されて動作可能なように接続される」点は、本願発明の「相互接続モジュール（１６、１８）が該少なくとも１つのシェルフの内部に動作可能なように接続される」点に対応する。
　
エ．刊行物１記載の発明の「光学的にトランクケーブル（１２）と伝送ケーブル（１３）とを光ファイバジャンパケーブル（１５）を介して接続させるようにした複数のモジュール（１８、１９）」は、本願発明の「第１の光チャネル（３２、３４、３６）を第２の光チャネル（４２、４４、４６）に光学的に接続させるように適合された少なくとも１つの相互接続モジュール（１６、１８）」に対応する。
　
オ．刊行物１記載の発明の「上記モジュール（１８、１９）の各々は、各モジュールに接続されたケーブル（１２または１３）及び光ファイバジャンパケーブル（１５）の光学的接続についてのテストが可能である」点は、本願発明の「該相互接続モジュールの各々は、関連する少なくとも１つの識別可能な動作特性を確認することが可能である」点に対応する。
　
カ．刊行物１記載の発明の「前記複数のモジュール（１８、１９）の各々は、マイクロプロセッサ（５３）を備える」点は、本願発明の「該相互接続モジュールの各々は、マイクロコントローラを含む」点に対応する。
　
キ．刊行物１記載の発明の「トランクケーブル（１２）のファイバからの情報信号のパワーを連続的にサンプリングし、パワーレベル上の分裂または変化があれば、ホストコンピュータ（７２）に知らせてテスト信号を自動的に送り出し、テスト信号の反射を受信器でモニタさせるマイクロプロセッサ（５３）」は、
　光ファイバ分配フレーム（１０）に接続されるトランクケーブル（１２）のファイバからの情報信号のパワーを、マイクロプロセッサ（５３）が連続的にサンプリングして、パワーレベル上の分裂または変化があるかどうかを監視して試験するものであるから、本願発明の「識別可能な動作特徴」、即ち、関連の光システム内で使用される光ファイバ、コネクタおよび／または接続部の全般的な操作性または他の質的な条件を試験、監視、読出し、解読、あるいは分析するものに該当し、
　本願発明の「関連する少なくとも１つの識別可能な動作特性を確認することが可能なマイクロコントローラ」に対応する。
　
ク．刊行物１記載の発明の「光ファイバジャンパケーブル（１５）をテストするために、光テスト信号をレーザ（５４）を介して送信し、光ファイバジャンパケーブル（１５）を介して接続されているモジュールに伝送し、同時にマイクロプロセッサ（５３）はホストコンピュータ（７２）に対して、テスト要求信号を送り、他のモジュール（１９）からのテスト信号は電気信号に変換され、制御ビット（０、１）をマイクロプロセッサ（５３）に送り、もし、信号が受信されないならば、マイクロプロセッサ（５３）は接続が不良であるか、またはジャンパケーブルが間違ったモジュールに接続されたと分かるマイクロプロセッサ（５３）」は、
　本願発明の「関連する少なくとも１つの識別可能な動作特性を確認することが可能なマイクロコントローラ」に対応する。
　　
ケ．刊行物１記載の発明の「上記光ファイバ分配フレーム（１０）は、マイクロプロセッサ５３を含むモジュール（１８、１９）とホストコンピュータ７２および他のモジュール（１８，１９）とに、各モジュール１８と１９の背後にあるバス６２と６３，バス６６と６７，及びＬＡＮバス７０により電気的に接続される」点は、本願発明の「前記システムは更に、マイクロコントローラを含む該相互接続モジュールと該システム・コントローラおよび他の相互接続モジュールを電気的に接続する電気的相互接続構造（７２）」に対応する。
　
　したがって、両者は、以下の点で一致し、以下の各点で相違する。
＜一致点＞
　分散フレームが、
　少なくとも１つのシェルフ（１２、１４）と、
　該少なくとも１つのシェルフの内部に動作可能なように接続され、
　第１の光チャネル（３２、３４、３６）を第２の光チャネル（４２、４４、４６）に光学的に接続させるように適合された少なくとも１つの相互接続モジュール（１６、１８）とからなり、
　該相互接続モジュールの各々は、関連する少なくとも１つの識別可能な動作特性を確認することが可能なマイクロコントローラを含むように適合されており、
　マイクロコントローラを含む該相互接続モジュールと該システム・コントローラおよび他の相互接続モジュールを電気的に接続する電気的相互接続構造（７２）に接続される分散フレーム。
　
＜相違点＞
（ア）本願発明は、分散フレーム（１０）を有する光通信システムであって、該分散フレームと関連するシステム・コントローラと共に使用する光通信システムの発明であるのに対し、
　刊行物１記載の発明は、光ファイバ分配フレーム（１０）の発明である点。
　
（イ）マイクロコントローラで確認される動作特性が、
　本願発明では、該光通信システムと関連する動作特性であるのに対し、
　刊行物１記載の発明では、光ファイバ分配フレーム（１０）に接続されるトランクケーブル（１２）や光ファイバジャンパケーブル（１５）の動作特性である点。
　
（ウ）本願発明では、前記システムは更に、該相互接続モジュールと該システム・コントローラおよび電気的相互接続構造（７２）からなるのに対し、
　刊行物１記載の発明では、ホストコンピュータ７２およびバス６２と６３，バス６６と６７，及びＬＡＮバス７０は、光ファイバ分配フレーム（１０）に接続される点。
　
（２）判断
　上記の相違点（ア）については、
　刊行物１には、例えば、図６を参照すると、
　モジュール１８，モジュール１９がバス６２，６３、バス６６，６７、ＬＡＮバス７０によりホスト７２に電気的に相互接続される構成が開示されており、
　
　また、光ファイバ分配フレームを通信システムとして用いることは周知技術（例えば、特開平７−３３６７３２号公報の【産業上の利用分野】「本発明は、通信装置に関し、特に、光ファイバ分散フレームに関する。」という記載を参照）であるから、
　
　図１に示されるモジュール１８及びモジュール１９を有するファイバ分配フレームに、上記の電気的に相互接続される構成とホストコンピュータとを含めて、光通信システムとすることは当業者が容易に想到することができたことであり、
　
　刊行物１記載の光ファイバ分配フレームを関連するシステム・コントローラと共に使用して、分散フレーム（１０）を有する光通信システムであって、該分散フレームと関連するシステム・コントローラと共に使用する光通信システムとすることは、当業者が当業者が容易に想到することができたことである。
　
　また、上記の相違点（イ）については、
　刊行物１記載の発明のトランクケーブル（１２）や光ファイバジャンパケーブル（１５）の接続関係等は、光ファイバ分配システムに接続される全体の光通信システムに関連する動作特性であると認められるから、
　マイクロコントローラにより、光ファイバ分配システムに接続される全体の光通信システムと関連する動作特性を確認するように変更あるいは拡張するようにすることは当業者が容易に想到することができたことである。
　　
　また、上記の相違点（ウ）については、
　刊行物１記載の発明のホストコンピュータ７２およびバス６２と６３，バス６６と６７，及びＬＡＮバス７０は、光通信システムのシステムコントローラおよび電気的相互接続構造（７２）に該当すると認められるから、
　システムは更に、該相互接続モジュールと該システム・コントローラおよび電気的相互接続構造（７２）からなるようにすることは当業者が容易に想到することができたことである。
　
　したがって、上記の相違点（ア）〜（ウ）については、いずれも、刊行物１あるいは周知技術を参照することにより、当業者が容易に想到することができたことであり、
　本願発明は、刊行物１記載の発明及び周知技術に基いて当業者が容易に発明をすることができたものである。
　
　なお、審判請求人は、審判請求書において、「引用例１（特開平８−５４５４４号公報）は、本願請求項１で記載され、また本願明細書の発明の詳細な説明の欄で教示されているような電気的相互接続構造を教示してはおらず、また請求項１で規定されているような「光通信システムの少なくとも１つの識別可能な動作特性を確認することが可能なマイクロコントローラを含むように適合される」相互接続モジュールを教示も示唆もしてはいない。引用例１に教示されているマイクロプロセッサは、光通信システムの少なくとも１つの識別可能な動作特性を確認してはおらず、また確認することは不可能なのである。」旨の主張をしているが、
　　
　刊行物１（特開平８−５４５４４号公報）の上記ク．の事項及び図６を参照すると、刊行物１には、各モジュールの背後にあるバス６２と６３が、バス６６と６７、ＬＡＮバス７２によりホストコンピュータ７２と接続されており、各モジュールの電気的バックプレインとなる電気的相互接続構造が開示されていると認められるから、審判請求人の「引用例１は電気的相互接続構造を教示していない」という主張は採用できない。
　
　また、刊行物１の上記ケ．及びコ．の事項及び図４を参照すると、刊行物１には、各モジュールに備えられたマイクロプロセッサ５３が、トランクケーブル１２からの光信号について連続的に情報信号のパワーレベルをサンプリングして、変化を監視し、ホストコンピュータがテスト信号を自動的に送りだしてトランクケーブル１２からのテスト信号の反射をモニタすること、　及び、
　マイクロプロセッサ５３が、光ファイバジャンパケーブルをテストするために、光テスト信号を送出し、他のモジュールからのテスト信号により制御ビットを受信して接続の不良を監視することが開示されている。
　
　刊行物１記載の発明は、安価で効率よくパッチコードをテストする光ファイバ分配フレームを提供することを目的とするものではあるが、
　
　上記のケ．及びコ．の事項を参照すると、刊行物１記載の発明は、パッチコード（即ち、光ファイバジャンパケーブル）のテストのみが可能なものではなく、トランクケーブル１２からの光信号の監視及びトランクケーブル１２からの光反射信号の監視をも行うことが可能なものであり、光ファイバ分配フレームに光ファイバが接続された光通信システムの各部の動作特性を監視することが可能なものである。
　
　一方、本願発明における「識別可能な動作特性」は、明細書の記載によれば、関連の光通信システム内で使用される光ファイバ、コネクタおよび／または接続部の全般的な操作性または他の質的な条件を包含するものであって
　
　上記のパッチコード（光ファイバジャンパケーブル）のテスト、あるいは、トランクケーブル１２からの光信号及び光反射信号の監視などは、いずれも、本願発明の識別可能な動作特性、即ち、「関連の光通信システム内で使用される光ファイバ、コネクタおよび／または接続部の全般的な操作性または他の質的な条件を包含する動作特性を監視するもの」に該当すると認められるから、
　審判請求人の「引用例１は光通信システムの少なくとも１つの識別可能な動作特性を確認することが可能なマイクロコントローラを含むように適合される相互接続モジュールを教示も示唆もしておらず、引用例１に教示されているマイクロプロセッサは、光通信システムの少なくとも１つの識別可能な動作特性を確認してはおらず、また確認することは不可能である」という主張を採用することはできない。
　
５．むすび
　以上のとおりであるから、本願発明は、刊行物１記載の発明及び周知技術に基いて当業者が容易に発明をすることができたものと認められ、特許法第２９条第２項の規定により特許を受けることができない。
　よって、結論のとおり審決する。